(57)【要約】【課題】  ロング用、ミドル用、ショート用の３つのレンジでヘッドの形状等を変化させる従来のゴルフクラブセットは、各レンジの境界部分での機能差が大きいため、ゴルファーにとって利用しにくいという問題があった。【解決手段】  連続する２番手毎に前記クラブ群を設け、ヘッドの形状のタイプを変化させた構成のゴルフクラブセットを用いる。【効果】  ヘッドの形状を変化させる単位を２番手毎としたので、従来のゴルフクラブセットと比較すると、各レンジの境界部分の機能差が小さくなり、ゴルファーにとって使い勝手の良い理想的なコンビネーションとすることができる。【選択図】  図１
0003105838.tif 000002
【実用新案登録請求の範囲】
【請求項１】
番手が連続する複数本のゴルフクラブのヘッドの形状を互いに近似させたクラブ群を有し、ヘッドの形状のタイプが異なる２以上の前記クラブ群により構成されるゴルフクラブセットにおいて、連続する２番手毎に前記クラブ群を設け、ヘッドの形状のタイプを変化させたことを特徴とするゴルフクラブセット。
【請求項２】
アイアンクラブとウェッジクラブについて、番手が小さいものから順に、第１、第２、第３、第４、及び第５の５種類の前記クラブ群を設けた請求項１記載のゴルフクラブセットであって、第１クラブ群は、ヘッドに中空部を有する中空構造アイアンとし、第２及び第３クラブ群は、バックフェースの少なくとも一部にキャビティを有するキャビティバックアイアンとし、第４及び第５クラブ群は、バックフェースにキャビティを設けないタイプのアイアンクラブ又はウェッジクラブとしたことを特徴とするゴルフクラブセット。
【請求項３】
前記第３クラブ群のバックフェースに設けるキャビティは、前記第２クラブ群のバックフェースに設けるキャビティよりも面積を小さくしたことを特徴とする請求項２記載のゴルフクラブセット。
【考案の詳細な説明】
【技術分野】
【０００１】
本考案は、番手レンジ毎にヘッド形状を変化させたゴルフクラブセットに関する。
【背景技術】
【０００２】
通常、ゴルフクラブセットは、ドライバー、フェアウェイウッド等のウッドクラブと、２番又は３番アイアンから９番アイアンまでの７〜８本のアイアンクラブと、ピッチングウェッジ、アプローチウェッジ、サンドウェッジの３本のウェッジクラブとパターとを組み合わせ、プレーに必要な全てのクラブが揃ったセットとして構成されている。そして、ゴルファーは、ピンまでの距離に応じて最適なゴルフクラブを選択する必要があるから、ゴルフクラブセットは、各番手で正確に異なる飛距離が得られるように、ロフト角等を段階的に変化させた構成となっている。
【０００３】
しかし、ボールを打球した際の軌道やボールに与えるスピン量等は、ボールをゴルフクラブの芯で打った場合と芯を外して打った場合とで変化するため、飛距離にばらつきが生じてしまう。そのため、特に、精度良く打ち分ける必要性の高いロングアイアンのクラブ群である３〜４番アイアンや、ミドルアイアンのクラブ群である５〜７番アイアンについて、飛距離のばらつきを極力抑えるように構成されたスウィートスポットの広いゴルフクラブを採用するゴルフクラブセットが提案されている。
【０００４】
上記の一例として、例えば、ロングアイアンやミドルアイアンについて、バックフェースにキャビティを設けた「キャビティバックアイアン」と呼ばれるアイアンクラブを採用したものがある。キャビティバックアイアンでは、ヘッドの周辺部に重量を分布させているため、その打球面に、より大きいスウィートスポット領域が得られる。そのため、スウィートスポットから多少離れた箇所でボールを打球しても、キャビティのないアイアンクラブによる場合に比べて飛距離のばらつきを少なくすることができる。
【０００５】
また、例えば、特開平５−３２９２３２号公報には、ロング用、ミドル用、ショート用の番手レンジに応じて、ヘッドの打球面の素材を変化させた構成のゴルフクラブセットが開示されている。具体的には、ロング用アイアンではカーボンファイバーを、ミドル用アイアンではステンレス又は鉄を、ショート用アイアンでは銅を用いる。これにより、ロング用では、スピン量を少なくして飛距離を増大させる一方、ショート用では、スピン量を多くしてボールが良く止まるようにし、ミドル用では、その中間性能が得られるとされている。
【０００６】
また、例えば、特開平６−２９６７１３号公報には、番手レンジに応じて、フェース材の比重を変化させた構成のゴルフクラブセットが開示されている。具体的には、３〜５番アイアンについては、比重が２．８〜４．２未満のアルミニウム合金を、６〜８番アイアンについては、比重が４．２〜８．０のチタン合金を、９番アイアンからサンドウェッジについては、比重が８．０以上の黄銅を用いる。これにより、ロングアイアンでは、慣性モーメントを大きくして飛距離を増大させる一方、ショートアイアンでは、スピン量を増加させてグリーンでボールが良く止まるようにし、ミドル用では、非コンポジットクラブと同様のフィーリングが得られるとされている。
【０００７】
このように、昨今、ロング用、ミドル用、ショート用の番手レンジ毎にヘッドの形状を変化させたり、ヘッドの打球面の素材やフェース材の比重を変化させるゴルフクラブセットが利用されている。そのため、このようなタイプのゴルフクラブセットを利用するゴルファーは、従来のように、ロフト角等を基準とする飛距離特性だけに留まらず、番手レンジ毎に設定された機能特性も意識して最適なクラブを選択する必要がある。
【考案の開示】
【考案が解決しようとする課題】
【０００８】
しかしながら、ロング用、ミドル用、ショート用の３つのレンジでヘッドの形状等を変化させる従来のゴルフクラブセットは、各レンジの境界部分での機能差が目立ち、機能的に連続性を欠くため、ゴルファーにとって利用しにくいという問題があった。例えば、ミドル用である６〜８番アイアンについてスウィートスポットを広く設定しているゴルフクラブセットでは、ロング用である５番アイアンとの間で機能差が目立ち、６番アイアンの方が相対的に飛距離が出るように感じるなどの問題が生じている。
【０００９】
そこで、本考案者は、番手が連続する複数本のゴルフクラブのヘッドの形状を互いに近似させたクラブ群を有し、ヘッドの形状のタイプが異なる２以上の前記クラブ群により構成されるゴルフクラブセットにおける理想的なコンビネーションについて、検討を重ねた結果、連続する２番手毎に前記クラブ群を設けてヘッドの形状のタイプを変化させることが最も望ましいことを見出し、本考案を完成させた。
【課題を解決するための手段】
【００１０】
本考案は、番手が連続する複数本のゴルフクラブのヘッドの形状を互いに近似させたクラブ群を有し、ヘッドの形状のタイプが異なる２以上の前記クラブ群により構成されるゴルフクラブセットにおいて、連続する２番手毎に前記クラブ群を設け、ヘッドの形状のタイプを変化させたことを最も主要な特徴とする。
【考案の効果】
【００１１】
本考案によれば、ヘッドの形状を変化させる単位を２番手毎としたので、ロング用、ミドル用、ショート用の３つのレンジで変化させていた従来のゴルフクラブセットと比較すると、より細かく機能分割することができ、各レンジの境界部分での機能差を小さくすることができるという利点がある。
【考案を実施するための最良の形態】
【００１２】
本考案は、番手が連続する複数本のゴルフクラブのヘッドの形状を互いに近似させたクラブ群を有し、ヘッドの形状のタイプが異なる２以上の前記クラブ群により構成されるゴルフクラブセットにおいて、連続する２番手毎に前記クラブ群を設け、ヘッドの形状のタイプを変化させたものである。
【００１３】
前記本考案において、アイアンクラブとウェッジクラブについて、番手が小さいものから順に、第１、第２、第３、第４、及び第５の５種類の前記クラブ群を設け、第１クラブ群は、ヘッドに中空部を有する中空構造アイアンとし、第２及び第３クラブ群は、バックフェースの少なくとも一部にキャビティを有するキャビティバックアイアンとし、第４及び第５クラブ群は、バックフェースにキャビティを設けないタイプのアイアンクラブ又はウェッジクラブとすれば、第１クラブ群は、中空構造によって低重心化を図り、飛距離を向上できる一方、第２及び第３クラブ群では、段階的にスウィートスポットを広くして打ち易さを向上できるので、好適である。
【００１４】
また、前記本考案において、第３クラブ群のバックフェースに設けるキャビティを、前記第２クラブ群のバックフェースに設けるキャビティよりも面積が小さなものとすれば、バックフェースにキャビティを設けない第４クラブ群との機能的な繋がりをスムーズなものとすることができるので、好適である。
【実施例】
【００１５】
以下、本考案のゴルフクラブセットを、添付図面に示す実施例に基づいて詳細に説明する。図１は、本考案の第１クラブ群の説明図であり、（ａ）は３番アイアンを、（ｂ）は４番アイアンを示している。
【００１６】
第１クラブ群は、高弾道で飛距離を長くすることを設計コンセプトとしており、軟鉄鍛造のヘッド部分を中空構造とし、低重心化を図っている。シャフト軸線に対するフェース面の傾斜角度を示すロフト角は、３番アイアン１ａで２１°、４番アイアン１ｂで２４°としている。なお、３番アイアン１ａは、ライ角が６０°、フェイスプログレッション（ＦＰ）が１．０ｍｍで、クラブ長さは３９．２５インチであり、４番アイアン１ｂは、ライ角が６０．５°、フェイスプログレッション（ＦＰ）が１．０ｍｍで、クラブ長さは３８．７５インチである。
【００１７】
次に、図２は、本考案の第２クラブ群の説明図であり、（ａ）は５番アイアンを、（ｂ）は６番アイアンを示している。５番アイアン２ａと６番アイアン２ｂで構成される第２クラブ群は、スウィートスポットを広くすることを設計コンセプトとし、軟鉄鍛造のヘッドの中央部分を打球面となる前面から後方に向かって貫通する空間とし、その空間の前面位置に薄肉のフェース部材を嵌着し、バックフェース全体にキャビティ２ａ１、２ａ２、２ｂ１、２ｂ２を設けている。従って、ヘッドの周縁部が厚肉となり、打球面のスウィートスポット領域が広くなるため、スウィートスポットから多少離れた箇所でボールを打球しても、飛距離のばらつきを少なくすることができる。なお、５番アイアン２ａのロフト角は２７°、６番アイアン２ｂのロフト角は３１°であり、その他のスペックは、図２に記載した通りである。
【００１８】
これに対して、７番アイアン３ａと８番アイアン３ｂで構成される第３クラブ群は、図３に示すように、軟鉄鍛造のヘッド部分のバックフェース部分の一部にのみキャビティ３ａ１、３ｂ１を設け、第２クラブ群よりもキャビティの面積を小さくしている。これにより、第３クラブ群は、スウィートスポットを広めのものとして打ち易さを向上できるとともに、バックフェースにキャビティを設けない第４クラブ群との機能差を小さくし、連続性を確保している。なお、７番アイアン３ａのロフト角は３５°、８番アイアン３ｂのロフト角は３９°であり、その他のスペックは、図３に記載した通りである。
【００１９】
次に、図４は、本考案の第４クラブ群の説明図であり、（ａ）は９番アイアンを、（ｂ）はピッチングウェッジを示している。第４クラブ群は、キャビティを有するクラブでは打感が鈍い、あるいは、コントロール性に欠けるというゴルファーの要望に応え、バックフェースにキャビティを設けないマッスルバックの９番アイアン４ａとピッチングウェッジ４ｂで構成されたものである。なお、第４クラブ群も、ヘッド部分は軟鉄鍛造であり、９番アイアン４ａのロフト角は４３°、ピッチングウェッジ４ｂのロフト角は４７°としている。また、その他のスペックは図４に記載した通りである。
【００２０】
最後に、図５（ａ）は、本考案の第５クラブ群であるアプローチウェッジ５ａの構成とスペックを、（ｂ）は同じくサンドウェッジ５ｂの構成とスペックを説明する図である。第５クラブ群は、ティアドロップ形状のウェッジであり、アプローチウェッジ５ａのロフト角は５２°、サンドウェッジ５ｂのロフト角は５８°に設定されている。
【００２１】
このように、図１〜図５に示す本考案のゴルフクラブセットでは、２番手毎にヘッドの形状を変化させるようにしたので、各レンジの境界部分の機能差が小さくなり、ゴルファーにとって使い勝手の良い理想的なコンビネーションとすることができる。例えば、第４クラブ群である７〜８番アイアンは、隣接する５〜６番アイアンからの変化傾向に沿った形でキャビティを設けているが、その面積を小さくすることで、ノンキャビティタイプのクラブである９番アイアンとの連続性を良くしている。すなわち、本考案のゴルフクラブセットは、第１クラブ群から第５クラブ群に至るまでの機能的な繋がりをスムーズなものとしている。
【００２２】
なお、上記実施例では、３番アイアンから順に２番手毎にクラブ群を設ける例を開示したが、本考案のゴルフクラブセットは、例えば、２番アイアンから順に２番手毎にクラブ群を設定しても良いことはいうまでもない。また、ヘッドの形状は、上記実施例のものに限定されず、設計コンセプトに応じて最適な形状を適宜選択することができる。
【産業上の利用可能性】
【００２３】
本考案のゴルフクラブセットは、アイアンクラブセットだけでなく、ドライバー、フェアウェイウッド、ユーティティクラブ等を含めたゴルフクラブセットにも適用できる。
【図面の簡単な説明】
【００２４】
【図１】本考案の第１クラブ群の説明図であり、（ａ）は３番アイアンの形状を、（ｂ）は４番アイアンの形状を説明する図である。
【図２】本考案の第２クラブ群の説明図であり、（ａ）は５番アイアンの形状を、（ｂ）は６番アイアンの形状を説明する図である。
【図３】本考案の第３クラブ群の説明図であり、（ａ）は７番アイアンの形状を、（ｂ）は８番アイアンの形状を説明する図である。
【図４】本考案の第４クラブ群の説明図であり、（ａ）は９番アイアンの形状を、（ｂ）はピッチングウェッジの形状を説明する図である。
【図５】本考案の第５クラブ群の説明図であり、（ａ）はアプローチウェッジの形状を、（ｂ）はサンドウェッジの形状を説明する図である。
【符号の説明】
【００２５】
１ａ、１ｂ  第１クラブ群（３番アイアン、４番アイアン）
２ａ、２ｂ  第２クラブ群（５番アイアン、６番アイアン
２ａ１、２ａ２、２ｂ１、２ｂ２  キャビティ
３ａ、３ｂ  第３クラブ群（７番アイアン、８番アイアン）
３ａ１、３ｂ１  キャビティ
４ａ、４ｂ  第４クラブ群（９番アイアン、ピッチングウェッジ）
５ａ、５ｂ  第５クラブ群（アプローチウェッジ、サンドウェッジ）
【図１】
0003105838.tif 000003
【図２】
0003105838.tif 000004
【図３】
0003105838.tif 000005
【図４】
0003105838.tif 000006
【図５】
0003105838.tif 000007
【手続補正書】
【提出日】平成16年8月12日(2004.8.12)
【手続補正１】
【補正対象書類名】実用新案登録請求の範囲
【補正対象項目名】全文
【補正方法】変更
【補正の内容】
【実用新案登録請求の範囲】
【請求項１】
番手が連続する複数本のゴルフクラブからなるゴルフクラブセットにおいて、連続する２番手毎にヘッドの形状のタイプを変化させて番手が小さいものから順に第１、第２、第３、第４、及び第５の５種類のクラブ群を設け、前記第１クラブ群は、ヘッドに中空部を有する中空構造アイアンとし、前記第２クラブ群と前記第３クラブ群は、バックフェースの少なくとも一部にキャビティを有するキャビティバックアイアンとし、前記第４クラブ群と前記第５クラブ群は、バックフェースにキャビティを設けないタイプのアイアンクラブ又はウェッジクラブとしたことを特徴とするゴルフクラブセット。
【請求項２】
前記第３クラブ群のバックフェースに設けるキャビティは、前記第２クラブ群のバックフェースに設けるキャビティよりも面積を小さくしたことを特徴とする請求項１記載のゴルフクラブセット。
【手続補正２】
【補正対象書類名】明細書
【補正対象項目名】００１０
【補正方法】変更
【補正の内容】
【００１０】
本考案は、番手が連続する複数本のゴルフクラブからなるゴルフクラブセットにおいて、連続する２番手毎にヘッドの形状のタイプを変化させて番手が小さいものから順に第１、第２、第３、第４、及び第５の５種類のクラブ群を設け、前記第１クラブ群は、ヘッドに中空部を有する中空構造アイアンとし、前記第２クラブ群と前記第３クラブ群は、バックフェースの少なくとも一部にキャビティを有するキャビティバックアイアンとし、前記第４クラブ群と前記第５クラブ群は、バックフェースにキャビティを設けないタイプのアイアンクラブ又はウェッジクラブとしたことを最も主要な特徴とする。
【手続補正３】
【補正対象書類名】明細書
【補正対象項目名】００１２
【補正方法】変更
【補正の内容】
【００１２】
本考案のゴルフクラブセットは、番手が連続する複数本のゴルフクラブからなるゴルフクラブセットにおいて、連続する２番手毎にヘッドの形状のタイプを変化させて番手が小さいものから順に第１、第２、第３、第４、及び第５の５種類のクラブ群を設け、前記第１クラブ群は、ヘッドに中空部を有する中空構造アイアンとし、前記第２クラブ群と前記第３クラブ群は、バックフェースの少なくとも一部にキャビティを有するキャビティバックアイアンとし、前記第４クラブ群と前記第５クラブ群は、バックフェースにキャビティを設けないタイプのアイアンクラブ又はウェッジクラブとしたものである。
【手続補正４】
【補正対象書類名】明細書
【補正対象項目名】００１３
【補正方法】変更
【補正の内容】
【００１３】
前記本考案によれば、第１クラブ群は、中空構造によって低重心化を図り、飛距離を向上できる一方、第２及び第３クラブ群では、段階的にスウィートスポットを広くして打ち易さを向上できるので、好適である。